(57)【要約】【課題】  本発明は、耐久性を格段的に向上し得るスイッチ装置を提案する。【解決手段】  ２つの押圧部位が形成されたボタン部材を外部からの押圧操作に応じてシーソー揺動させながら、当該押圧された側のみ配線基板に接触させるようにして電気的にスイッチング動作を行うスイッチ装置において、ボタン部材における接触押圧部のいずれか一方の押圧部位が押圧されたとき、当該押圧された側の突起部が配線基板に対して接触すると同時に、当該押圧された側のシーソー弾性部がリブ部材に当接押圧することにより、当該シーソー弾性部にのみ弾性力を発生させるようにした。【選択図】        図７
2006147479.tif 000002
【特許請求の範囲】
【請求項１】
２つの押圧部位が形成されたボタン部材を外部からの押圧操作に応じてシーソー揺動させながら、当該押圧された側のみ配線基板に接触させるようにして電気的にスイッチング動作を行うスイッチ装置において、
上記ボタン部材は、
表面側に各上記押圧部位が形成され、裏面側に当該各押圧部位に対応し、それぞれ上記配線基板に対して接触又は非接触するための一対の突起部が形成された接触押圧部と、
上記接触押圧部の裏面側に形成され、当該接触押圧部の上記シーソー揺動の回転中心となる支持軸部と、
双方の根元部が上記支持軸部の近傍に形成され、当該各根元部から延長された先端部がそれぞれ上記ボタン部材の装填側に固定されたリブ部材に両側から接触又は近接するように配置された所定形状でなる一対のシーソー弾性部と
を具え、
上記ボタン部材における上記接触押圧部のいずれか一方の上記押圧部位が押圧されたとき、当該押圧された側の上記突起部が上記配線基板に対して接触すると同時に、当該押圧された側の上記シーソー弾性部が上記リブ部材に当接押圧することにより、当該シーソー弾性部にのみ弾性力を発生させる
ことを特徴とするスイッチ装置。
【請求項２】
上記ボタン部材における上記一対のシーソー弾性部を、互いに別個のサイズに設定するようにした
ことを特徴とする請求項１に記載のスイッチ装置。
【請求項３】
上記ボタン部材について、上記接触押圧部の各押圧部位から対応する上記シーソー弾性部までの距離を、上記支持軸部の軸中心から各上記シーソー弾性部までの距離に対して２倍以上に設定するようにした
ことを特徴とする請求項１に記載のスイッチ装置。
【請求項４】
上記ボタン部材における上記接触押圧部の２つの上記押圧部位のうち一方の押圧部位は、他方の押圧部位に対して所定深さの凹部を形成するようにした
ことを特徴とする請求項１に記載のスイッチ装置。
【発明の詳細な説明】
【技術分野】
【０００１】
本発明は、スイッチ装置に関し、例えば押圧式ボタンのシーソー揺動によってスイッチング操作を行ういわゆるシーソーボタンに適用して好適なものである。
【背景技術】
【０００２】
従来、本体枠及び複数の弾性片と一体に形成することによって、押圧操作時には弾性片の弾性を利用してバランスを保つようになされたいわゆるシーソーボタンが広く普及している。
【０００３】
このようなシーソーボタン１においては、図８（Ａ）に示すように、例えば押圧式ボタン１Ａが本体枠１Ｂ及び２つの弾性片１ＣＡ、１ＣＢと連接されて一体に形成されており、また押圧式ボタン１Ｂの揺動支点としてシーソー揺動用支軸２が設けられている。
【０００４】
これによりシーソーボタン１においては、押圧式ボタン１Ａの一端が押圧操作されたときには、弾性片１ＣＡ、１ＣＢがそれぞれ押圧式ボタン１Ａの一端への押圧力に応じて捻れるようにしてたわむことによって、押圧式ボタン１Ａがシーソーのように揺動する一方、押圧式ボタン１Ａの一端の押圧操作が解除されたときには、弾性片１ＣＡ、１ＣＢの復元力によって、押圧式ボタン１Ａが元の位置に戻るようになされている。
【０００５】
さらに、このようなシーソーボタン１において、弾性片１ＣＡ、１ＣＢを押圧式ボタン１Ａの押圧方向に対して肉薄に形成することによって、押圧式ボタン１Ａをシーソー揺動しやすくし得るようになされたシーソーボタン１が提案されている（例えば特許文献１参照）。
【０００６】
しかしながらこのようなシーソーボタン１においては、弾性片１ＣＡ、１ＣＢがシーソー揺動用支軸２から離れた位置に設けられてことから、押圧式ボタン１Ａの一端が押圧操作されたときに、弾性片１ＣＡ、１ＣＢのたわみ量が大きくなると共に、弾性片１ＣＡ、１ＣＢの双方にねじり力がかかることとなり、この結果、弾性片１ＣＡ、１ＣＢに変形が生じやすいという問題がある。
【０００７】
そして、この後押圧式ボタン１Ａが数多く押圧操作された場合には、弾性片１ＣＡ、１ＣＢの変形が大きくなることによって、ついには弾性片１ＣＡ、１ＣＢが破損するおそれがある。
【０００８】
かかる問題を解決するための１つの方法として、図８（Ｂ）に示すように、弾性片１ＣＡ、１ＣＢを形成し、シーソー揺動用支軸２を設ける代わりに、押圧式ボタン３Ａのほぼ中央部より本体枠３Ｂと連接する一軸上の一対の揺動支軸３ＣＡ、３ＣＢを形成したシーソーボタン３が提案されている（例えば特許文献２参照）。
【０００９】
そしてこのようなシーソーボタン３によれば、押圧式ボタン３Ａの一端が押圧操作されたときにも、揺動支軸３ＣＡ、３ＣＢを支点としていることから、当該揺動支軸３ＣＡ、３ＣＢのたわみ量が大きくなることによる変形や破損が生じるのを有効に防止できるものと考えられる。
【特許文献１】特開平４−１７９０１４号公報
【特許文献２】特開平８−１４８０５９号公報
【発明の開示】
【発明が解決しようとする課題】
【００１０】
しかしながらこのようなシーソーボタン３においては、押圧式ボタン３Ａの押圧操作時に揺動支軸３ＣＡ、３ＣＢにねじり力がかかり、また、押圧式ボタン３Ａの一端又は多端側のどちらに押圧操作された場合にも、揺動支軸３ＣＡ、３ＣＢの双方にねじり力がかかることから、この結果、揺動支軸３ＣＡ、３ＣＢに変形が生じやすいという問題がある。
【００１１】
そして、この後押圧式ボタン３Ａが数多く押圧操作された場合には、揺動支軸３ＣＡ、３ＣＢの変形が大きくなることによって、ついには揺動支軸３ＣＡ、３ＣＢが破損するおそれがある。
【００１２】
本発明は以上の点を考慮してなされたもので、耐久性を格段的に向上し得るスイッチ装置を提案するものである。
【課題を解決するための手段】
【００１３】
かかる課題を解決するために本発明においては、２つの押圧部位が形成されたボタン部材を外部からの押圧操作に応じてシーソー揺動させながら、当該押圧された側のみ配線基板に接触させるようにして電気的にスイッチング動作を行うスイッチ装置において、ボタン部材は、表面側に各押圧部位が形成され、裏面側に当該各押圧部位に対応し、それぞれ配線基板に対して接触又は非接触するための一対の突起部が形成された接触押圧部と、接触押圧部の裏面側に形成され、当該接触押圧部のシーソー揺動の回転中心となる支持軸部と、双方の根元部が支持軸部の近傍に形成され、当該各根元部から延長された先端部がそれぞれボタン部材の装填側に固定されたリブ部材に両側から接触又は近接するように配置された所定形状でなる一対のシーソー弾性部とを設け、ボタン部材における接触押圧部のいずれか一方の押圧部位が押圧されたとき、当該押圧された側の突起部が配線基板に対して接触すると同時に、当該押圧された側のシーソー弾性部がリブ部材に当接押圧することにより、当該シーソー弾性部にのみ弾性力を発生させるようにした。
【００１４】
従って、ユーザがボタン部材の押圧部位を押圧した際に、当該押圧された側のシーソー弾性部に押圧力が発生した場合でも、そのシーソー弾性部のたわみ量は非常に少なくて済み、この結果、当該シーソー弾性部の変形や破損を有効に防止することができる。
【発明の効果】
【００１５】
本発明によれば、２つの押圧部位が形成されたボタン部材を外部からの押圧操作に応じてシーソー揺動させながら、当該押圧された側のみ配線基板に接触させるようにして電気的にスイッチング動作を行うスイッチ装置において、ボタン部材は、表面側に各押圧部位が形成され、裏面側に当該各押圧部位に対応し、それぞれ配線基板に対して接触又は非接触するための一対の突起部が形成された接触押圧部と、接触押圧部の裏面側に形成され、当該接触押圧部のシーソー揺動の回転中心となる支持軸部と、双方の根元部が支持軸部の近傍に形成され、当該各根元部から延長された先端部がそれぞれボタン部材の装填側に固定されたリブ部材に両側から接触又は近接するように配置された所定形状でなる一対のシーソー弾性部とを設け、ボタン部材における接触押圧部のいずれか一方の押圧部位が押圧されたとき、当該押圧された側の突起部が配線基板に対して接触すると同時に、当該押圧された側のシーソー弾性部がリブ部材に当接押圧することにより、当該シーソー弾性部にのみ弾性力を発生させるようにしたことにより、ユーザがボタン部材の押圧部位を押圧した際に、当該押圧された側のシーソー弾性部に押圧力が発生した場合でも、そのシーソー弾性部のたわみ量は非常に少なくて済み、この結果、当該シーソー弾性部の変形や破損を有効に防止することができ、かくして耐久性を格段的に向上し得るスイッチ装置を実現できる。
【発明を実施するための最良の形態】
【００１６】
以下図面について、本発明の一実施の形態を詳述する。
【００１７】
（１）本実施の形態による光ディスク再生装置の構成
（１−１）光ディスク再生装置の全体構成
図１において、１０は全体として本実施の形態による光ディスク再生装置を示し、例えばポリスチレン等の合成樹脂材から成形され、全体的に丸みを帯びた略楕円形でなるキャビネット１１の上段部には、ユーザが把持するためのアーチ状の把持部１１Ａが形成されている。
【００１８】
またキャビネット１１の前面の中段部の左右両側には、例えばＣＤ（Compact Disk）等の光ディスク（図示せず）の再生動作時に必要な各種機能に応じた操作内容を表す操作ボタン群でなる操作部１２が設けられている。さらにキャビネット１１の前面の中段部の中央部には、当該操作内容等を表示するための液晶パネルでなる表示部１３が設けられている。
【００１９】
さらにキャビネット１１の前面の下段部の中央部には、光ディスクを挿脱するためのディスク蓋部１４が開閉自在に取り付けられており、その左右両側には、一対のスピーカ１５Ａ、１５Ｂが搭載されている。
【００２０】
このように光ディスク再生装置１０においては、ユーザが予めディスク蓋部１４を介してディスクドライブ部（図示せず）に所望の光ディスクを装填した後、操作部１２を用いて再生動作を操作すると、その光ディスクに記録されている音楽データに基づく音声をスピーカ１５Ａ、１５Ｂから出力すると共に、当該音楽データに関連する曲名や再生時間等を表示部１３に表示するようになされている。
【００２１】
（１−２）ボリュームボタン２０の構成
上述した図１に示す光ディスク再生装置１０において、操作部１２を構成する操作ボタン群のうち、再生音量を調整するためのボリュームボタン２０は、いわゆるシーソーボタンでなり、再生動作時にユーザがプラス側又はマイナス側の押圧部位を押圧することにより、スピーカ１５Ａ、１５Ｂから出力される再生音量をアップ又はダウンさせ得るようになされている。
【００２２】
以下図２（Ａ）〜図４（Ｂ）において、ボリュームボタン２０の構成について説明する。
【００２３】
このボリュームボタン２０は、図２（Ａ）及び（Ｂ）に示すように、表面にユーザの指先が接触するための２つの押圧部位２０ＡＡ、２０ＡＢが形成された略ひょうたん形状でなる接触押圧部２０Ａと、当該接触押圧部２０Ａの裏面に形成され、かつシーソー揺動の回転中心と同軸上で上側及び下側に分離して形成された軸棒部（以下、これらを上側軸棒部及び下側軸棒部と呼ぶ）２０ＢＡ、２０ＢＢと、当該下側軸棒部２０ＢＢの近傍から所定方向に延長形成された略Ｌ字形状でなる一対のアーム（以下、これをシーソー弾性部と呼ぶ）２０ＣＡ、２０ＣＢとが、例えばポリスチレン等の合成樹脂材により一体成形されて構成されている。
【００２４】
このうち接触押圧部２０Ａは、図２（Ａ）からも明らかなように、表面の２つの押圧部位２０Ａのうちの一方である押圧部位２０ＡＢが丸型の凹状に形成され、ユーザの指先が接触したときにフィットすることから、ユーザがボリュームボタン２０の位置を目視確認することなく、双方の押圧部位２０ＡＡ、２０ＡＢを触覚により容易に認識し得るようになされている。
【００２５】
また接触押圧部２０Ａの裏面には、後述する半導体基板２２（図６）に設けられた押圧式でなる一対のスイッチ部２２ＡＡ、２２ＡＢ（図７）をそれぞれ押圧するための基板押圧部２０ＤＡ、２０ＤＢが、互いに平行関係を保ちながら、上側軸棒部２０ＢＡ及び下側軸棒部２０ＢＢの軸方向に対して垂直方向（すなわち押圧方向）に突出して形成されている。
【００２６】
さらに一対のシーソー弾性部２０ＣＡ、２０ＣＢは、双方の根元部が下側軸棒部２０ＢＢを間に挟んだ比較的幅広い間隔を保つ一方、双方の先端部が所定の間隙を介して相対向するように、予め形状が設定されている。
【００２７】
（１−３）ボリュームボタン２０の取付け工程
次に、図５（Ａ）〜図６（Ｂ）においてボリュームボタン２０の取付け工程について説明する。
【００２８】
その前提として、光ディスク再生装置１０におけるキャビネット１１の裏側半体の所定位置には、ボリュームボタン２０の接触押圧部２０Ａのみを外部に露出させるための露出口２１Ａが形成された保持部材２１が取り付けられている。
【００２９】
またキャビネット１１の裏側半体内には、ボリュームボタン２０の下側軸棒部２０ＢＢを支持するための軸穴１１ＢＡが形成されたボス部１１Ｂと、当該ボス部１１Ｂの突出高さ分の高さでかつ所定の厚み及び長さをもつ板形状のリブ部１１Ｃとが一体となって固定されている。
【００３０】
このリブ部１１Ｃは、ボス部１１Ｂの軸穴１１ＢＡの軸方向を高さ方向とし、かつユーザによる接触押圧部２０Ａの押圧方向を長さ方向とする平面上に形成されている。すなわちリブ部１１Ｃは、その平面の法線が下側軸棒部２０ＢＢの軸方向とユーザの押圧方向との両方とも垂直関係を保つように設定されている。
【００３１】
またキャビネット１１の裏面半体内には、ボス部１１Ｂ及びリブ部１１Ｃを間に挟んで、半導体基板２２（図６）を収納保持するための複数の基板保持部１１Ｄが、ボリュームボタン２０の下側軸棒部２０ＢＢの軸方向に沿って突出形成されている。
【００３２】
なおキャビネット１１の裏面半体では、上述したボス部１１Ｂ、リブ部１１Ｃ及び複数の基板保持部１１Ｄは全てキャビネット１１の一部として同一材料（ポリスチレン等の合成樹脂材）で一体成形されている。
【００３３】
実際にキャビネット１１の裏側半体にボリュームボタン２０を取り付ける際には、図５（Ａ）に示すように、まず保持部材２１の露出口２１Ａに内側からボリュームボタン２０の接触押圧部２０Ａのみを露出させるように差し込みながら、キャビネット１１のボス部１１Ｂに形成された軸穴１１ＢＡにボリュームボタン２０の下側軸棒部２０ＢＢの先端を嵌め込むと共に、当該ボリュームボタン２０のシーソー弾性部２０ＣＡ、２０ＣＢをその双方の先端間がキャビネット１１のリブ部１１Ｃを両側から挟み込むように取り付ける。
【００３４】
この結果、ボリュームボタン２０は、図５（Ｂ）に示すように、上側軸棒部２０ＢＡ及び下側軸棒部２０ＢＢがシーソー揺動の回転中心となって矢印ａ方向又はこれと逆方向に回転自在に支持される。
【００３５】
続いて、図６（Ａ）に示すように、押圧式でなる一対のスイッチ部２２ＡＡ、２２ＡＢ（図７）が設けられた半導体基板２２を、キャビネット１１の複数の基板保持部１１Ｄに形成された窪みに嵌め込むように取り付ける。この結果、半導体基板２２は、図６（Ｂ）に示すように、その基板面がシーソー揺動の回転中心に対して平行関係を保ちながら、双方のスイッチ部２２ＡＡ、２２ＡＢが対応するボリュームボタン２０の基板押圧部２０ＤＡ、２０ＤＢにそれぞれ軽く接触した状態になる。
【００３６】
（１−４）ボリュームボタン２０の押圧時における変化状態
実際にユーザによりボリュームボタン２０の接触押圧部２０Ａが押圧されると、上側軸棒部２０ＢＡ及び下側軸棒部２０ＢＢを回転中心としてこれらと一体となって矢印ａ方向又はこれと逆方向にシーソー揺動する。
【００３７】
このときボリュームボタン２０における接触押圧部２０Ａの２つの押圧部位２０ＡＡ、２０ＡＢのうち押圧された側に対応する基板押圧部２０ＤＡ、２０ＤＢのみが、半導体基板２２上に配置されたスイッチ部２２ＡＡ、２２ＡＢを押圧する。
【００３８】
さらにボリュームボタン２０の一対のシーソー弾性部２０ＣＡ、２０ＣＢは、キャビネット１１のリブ部１１Ｃを間に挟むように取り付けられているが、接触押圧部２０Ａの２つの押圧部位２０ＡＡ、２０ＡＢのうち押圧された側に対応するシーソー弾性部２０ＣＡ、２０ＣＢの先端のみがリブ部１１Ｃの側面に当接押圧することにより、当該シーソー弾性部２０ＣＡ、２０ＣＢに弾性力が発生する。
【００３９】
やがてユーザが指先をボリュームボタン２０から離すと、リブ部１１Ｃを当接押圧しているシーソー弾性部２０ＣＡ、２０ＣＢに生じている弾性力が解除されて、当該シーソー弾性部２０ＣＡ、２０ＣＢが元の位置に戻る。
【００４０】
かかる一対のシーソー弾性部２０ＣＡ、２０ＣＢは、共に根元部から先端部までが略Ｌ字形状に形成され、双方の先端部がリブ部１１Ｃの各側面に接触又は近接する程度に対向しているため、押圧力が発生した場合でも、対応するシーソー弾性部２０ＣＡ、２０ＣＢのたわみ量は非常に少なくて済み、当該シーソー弾性部２０ＣＡ、２０ＣＢの変形や破損を有効に防止することができる。
【００４１】
またボリュームボタンにおいては、接触押圧部２０Ａから一対のシーソー弾性部２０ＣＡ、２０ＣＢまでの距離が、上側軸棒部２０ＢＡ及び下側軸棒部２０ＢＢの軸中心から一対のシーソー弾性部２０ＣＡ、２０ＣＢまでの距離の約２倍に設定されていることから、ユーザが接触押圧部２０Ａを押圧した際に指先にかかる荷重をその分だけ低減させることができ、この結果、ユーザの操作感触をより向上させることができる。
【００４２】
（１−５）本実施の形態による動作及び効果
以上の構成において、光ディスク再生装置１０では、ボリュームボタン２０をキャビネット１１の裏側半体に取り付ける際、ボリュームボタン２０のシーソー揺動の回転中心となる下側軸棒部２０ＢＢをキャビネット１１のボス部１１Ｂの軸穴１１ＢＡに嵌め込むと同時に、当該ボリュームボタン２０における一対のシーソー弾性部２０ＣＡ、２０ＣＢの先端同士をキャビネット１１のリブ部１１Ｃに両側から挟み込ませる。
【００４３】
このボリュームボタン２０の接触押圧部２０Ａをユーザが指で押圧した場合には、当該接触押圧部２０Ａが下側軸棒部２０ＢＢを回転中心として押圧方向に回転すると同時に、一対のシーソー弾性部２０ＣＡ、２０ＣＢのうち押圧された側の先端がリブ部１１Ｃの側面に当接押圧することにより、当該シーソー弾性部２０ＣＡ、２０ＣＢに弾性力を発生させる。
【００４４】
このときシーソー弾性部２０ＣＡ、２０ＣＢでは、根元部から略Ｌ字形状に延び出た先端部がリブ部１１Ｃの側面から当接押圧しており、その先端部にはリブ部１１Ｃの側面から１方向のみの弾性力が与えられるため、当該シーソー弾性部２０ＣＡ、２０ＣＢ自体にねじり力が加えられることがない。
【００４５】
従って、ユーザがボリュームボタン２０の接触押圧部２０Ａを押圧した際に、当該押圧された側のシーソー弾性部２０ＣＡ、２０ＣＢに押圧力が発生した場合でも、そのシーソー弾性部２０ＣＡ、２０ＣＢのたわみ量は非常に少なくて済み、この結果、当該シーソー弾性部２０ＣＡ、２０ＣＢの変形や破損を有効に防止することができる。
【００４６】
またボリュームボタン２０について、ユーザによる接触押圧部２０Ａの押圧操作に応じたシーソー揺動の押圧力及びその回復力を、一対のシーソー弾性部２０ＣＡ、２０ＣＢの各先端をキャビネット１１の裏側半体に形成されたリブ部１１Ｃを両側から挟み込む構成で実現するようにしたことにより、当該各シーソー弾性部２０ＣＡ、２０ＣＢを所望のサイズ（長さや厚みなど）に左右個別に設定すれば、接触押圧部２０Ａの２つの押圧部位に対してユーザの指先が押圧する力に差異を設けることができる。
【００４７】
以上の構成によれば、光ディスク再生装置１０に搭載される操作部１２のうちのボリュームボタン２０を、接触押圧部２０Ａのシーソー揺動の回転中心である下側軸棒部２０ＢＢの近傍に一対のシーソー弾性部２０ＣＡ、２０ＣＢを延長形成した構成にすると共に、キャビネット１１の裏側半体の装着位置に、下側軸棒部２０ＢＢの支持穴であるボス部１１Ｂと、一対のシーソー弾性部２０ＣＡ、２０ＣＢに弾性力及びその回復力を付勢するためのリブ部１１Ｃとを形成するようにしたことにより、ユーザがキャビネット１１の裏側半体に取り付けられたボリュームボタン２０の接触押圧部２０Ａを押圧した際に、当該押圧された側のシーソー弾性部２０ＣＡ、２０ＣＢに押圧力が発生した場合でも、そのシーソー弾性部２０ＣＡ、２０ＣＢのたわみ量は非常に少なくて済み、この結果、当該シーソー弾性部２０ＣＡ、２０ＣＢの変形や破損を有効に防止することができ、かくして耐久性を格段的に向上し得るスイッチ装置を実現できる。
【００４８】
（２）他の実施の形態
なお上述の実施の形態においては、再生動作時にユーザがプラス側又はマイナス側の押圧部位を押圧することにより、スピーカ１５Ａ、１５Ｂから出力される再生音量をアップ又はダウンさせるボリュームボタン２０に適用した場合について述べたが、本発明はこれに限らず、この他種々のシーソー揺動によって２種類のスイッチ操作を行わせるスイッチ装置に適用することができる。
【００４９】
また上述の実施の形態においては、シーソー弾性部２０ＣＡ、２０ＣＢを、共に根元部から先端部までが略Ｌ字形状に形成した場合について述べたが、本発明はこれに限らず、当該各シーソー弾性部を所望のサイズ（長さや厚みなど）に左右個別に設定すれば、接触押圧部の２つの押圧部位に対してユーザの指先が押圧する力に差異を設けることができ、例えば頻繁に使用する押圧部位に対応するシーソー弾性部のサイズを変えることによって、よりシーソー弾性部の変形や破損を有効に防止することができる。
【００５０】
さらに上述の実施の形態においては、ボリュームボタン２０を表面にユーザの指先が接触するための２つの押圧部位２０ＡＡ、２０ＡＢが形成された略ひょうたん形状に形成した場合について述べたが、本発明はこれに限らず、この他種々の形状であっても良い。
【００５１】
さらに上述の実施の形態においては、一対のシーソー弾性部２０ＣＡ、２０ＣＢの各先端をキャビネット１１の裏側半体に形成されたリブ部１１Ｃを両側から挟み込む構成を適用した場合について述べたが、本発明はこれに限らず、シーソー弾性部自体にねじり力が加えられず、かつシーソー弾性部のたわみ量を非常に少なくするこの他種々の構成を適用することができる。
【産業上の利用可能性】
【００５２】
本発明は、再生動作時にユーザがプラス側又はマイナス側の押圧部位を押圧することにより、再生音量をアップ又はダウンさせるボリュームボタンのほか、その他種々のシーソー揺動によって２種類のスイッチ操作を行わせるような場合に適用することができる。
【図面の簡単な説明】
【００５３】
【図１】本実施の形態による光ディスク再生装置の構成を示す略線図である。
【図２】ボリュームボタンの構成を示す正面図、側面図、X１−X１’断面図及びX２−X２’断面図である。
【図３】ボリュームボタンの構成を示す略線図である。
【図４】ボリュームボタンの構成を示す背面図及び側面図である。
【図５】ボリュームボタンの取り付け工程の説明に供する略線図である。
【図６】ボリュームボタンの取り付け工程の説明に供する略線図である。
【図７】ボリュームボタンの押圧時における変化状態の説明に供する略線図である。
【図８】従来におけるシーソーボタンの構成を示す略線図である。
【符号の説明】
【００５４】
１、３……シーソーボタン、１Ａ、３Ａ……押圧式ボタン、１Ｂ、３Ｂ……本体枠、１ＣＡ、１ＣＢ……弾性片、２……シーソー揺動用支軸、３ＣＡ、３ＣＢ……揺動支軸、１０……光ディスク再生装置、１１……キャビネット、１１Ａ……把持部、１１Ｂ……ボス部、１１ＢＡ……軸穴、１１Ｃ……リブ部、１１Ｄ……基板保持部、１２……操作部、１３……表示部、１４……ディスク蓋部、１５Ａ、１５Ｂ……スピーカ、２０……ボリュームボタン、２０Ａ……接触押圧部、２０ＡＡ、２０ＡＢ……押圧部位、２０ＢＡ、……上側軸棒部、２０ＢＢ……下側軸棒部、２０ＣＡ、２０ＣＢ……シーソー弾性部、２０ＤＡ、２０ＤＢ……基板押圧部、２１……保持部材、２１Ａ……露出口、２２……半導体基板、２２ＡＡ、２２ＡＢ……スイッチ部。
【図１】
2006147479.tif 000003
【図２】
2006147479.tif 000004
【図３】
2006147479.tif 000005
【図４】
2006147479.tif 000006
【図５】
2006147479.tif 000007
【図６】
2006147479.tif 000008
【図７】
2006147479.tif 000009
【図８】
2006147479.tif 000010